(57)【特許請求の範囲】
【請求項１】
建物の開口部に設けられる開口部用スクリーン装置であって、
屋内側から前記開口部を覆い、該開口部の屋外側に設けられた開口部装置の障子又はガラスとの間に空気層を形成するスクリーンと、
開口部周縁を構成する開口部材と、前記スクリーンの端部との間の隙間を塞ぐ閉塞部材と、を備え、
前記閉塞部材は、前記開口部の見付方向における一方及び他方に配置され、上下方向に沿って延びる第１気密材を有し、
前記第１気密材は、前記スクリーンの屋外側及び屋内側に互いに向かい合うように配置され前記スクリーンの端部に当接して前記端部を挟持可能な一対の曲がり片と、前記一対の曲がり片からそれぞれ屈曲して前記閉塞部材に当接可能な一対の平坦な面と、を有するサイドレールであり、
前記曲がり片は、弾性変形可能な部材からなり、
前記開口部材は、前記開口部周縁に設けられた額縁を含んで構成され、
前記閉塞部材は、前記額縁の屋内側部を覆う見込片を有するとともに、前記額縁に沿って配置され、
前記見込片は、前記スクリーンの上下方向に延びて断面がＬ字型のアウターＬ字部を含み、
前記サイドレールは、前記額縁の前記屋内側部と前記アウターＬ字部における前記屋内側部に対向する面との間に配置され、
前記サイドレールの前記一対の平坦な面の一方は、前記アウターＬ字部における前記屋内側部に対向する面に当接するとともに、他方は、前記屋内側部に沿って配置される、開口部用スクリーン装置。
【請求項２】
前記見込片は、前記アウターＬ字部の内側で、前記アウターＬ字部の内面に向かい合うように配置される断面がＬ字型のインナーＬ字部を含み、
向かい合う前記アウターＬ字部及び前記インナーＬ字部の内側面に、前記サイドレールが当接して配置される、請求項１に記載の開口部用スクリーン装置。
【請求項３】
前記閉塞部材は、前記スクリーンの先端の屋外側部に見付方向に延びて設けられ、前記開口部材との間の隙間を塞ぐ第２気密材を有する請求項１又は２に記載の開口部用スクリーン装置。
【請求項４】
前記閉塞部材は、前記スクリーンの先端の左右両側部に設けられ、前記開口部材との間の隙間を塞ぐ一対の第３気密材を有する請求項３に記載の開口部用スクリーン装置。
【請求項５】
前記スクリーンは、不透湿性の部材により構成される請求項１〜４のいずれか１項に記載の開口部用スクリーン装置。
【発明の詳細な説明】
【技術分野】
【０００１】
本発明は、開口部用スクリーン装置に関し、特に、建物の開口部を覆う開口部用スクリーン装置に関する。
【背景技術】
【０００２】
従来、窓等の開口部装置が設けられた建物の開口部において、その屋内側に開口部用スクリーン装置を配置することで、開口部装置と室内との間を遮断して熱伝導を低減し、断熱性を向上させる技術が知られている（例えば、特許文献１参照）。この場合、開口部用スクリーン装置は、開口部周縁を構成する開口部材により形成される開口枠内に配置される。
【先行技術文献】
【特許文献】
【０００３】
【特許文献１】特開２０１１−８０３４２号公報
【発明の概要】
【発明が解決しようとする課題】
【０００４】
しかしながら、例えば開口部装置として縦すべり窓や横すべり窓が配置されている場合には、開口枠内に開口部用スクリーン装置を設置すると、窓の開閉が阻害される。したがって、開口部装置の種類によらず設置可能な開口部用スクリーン装置の開発が望まれる。
【０００５】
また、開口枠内に開口部用スクリーン装置を設置すると、スクリーンの面積が小さくなるとともに、スクリーンと開口部材との間に隙間が生じやすくなり、断熱性が低下する。すると、室内生活空間で発生した湿気が開口部装置のガラス等に到達し、結露が発生する。このため、スクリーンと開口部材間の密閉性を向上させることで、断熱性が向上した開口部用スクリーン装置の開発が望まれる。
【０００６】
本発明は、開口部装置の種類によらず設置可能であるとともに、断熱性が向上した開口部用スクリーン装置を提供することを目的とする。
【課題を解決するための手段】
【０００７】
（１）  上記目的を達成するため本発明は、建物の開口部（例えば、後述の開口部１０）に設けられる開口部用スクリーン装置（例えば、後述の開口部用スクリーン装置１）であって、屋内側から前記開口部を覆い、該開口部の屋外側に設けられた開口部装置（例えば、後述の開口部装置９）の障子又はガラス（例えば、後述のガラス９１）との間に空気層（例えば、後述の空気層Ｌ）を形成するスクリーン（例えば、後述のスクリーン２）と、開口部周縁を構成する開口部材（例えば、後述の額縁１１）と、前記スクリーンの端部との間の隙間を塞ぐ閉塞部材（例えば、後述の閉塞部材４０）と、を備える開口部用スクリーン装置を提供する。
【０００８】
（２）  前記開口部材は、前記開口部周縁に設けられた額縁を含んで構成され、前記閉塞部材は、前記額縁の屋内側部を覆う見込片（例えば、後述の見込片４４）を有するとともに、前記額縁に沿って配置されることが好ましい。
【０００９】
（３）  前記開口部周縁の屋内側上方に取り付けられ、前記スクリーンを基端側から巻き取り可能な巻き取り軸部（例えば、後述の巻き取り軸部３１）をさらに備え、前記閉塞部材は、前記スクリーンの巻き取り方向の少なくとも一部に延びて設けられ、前記スクリーンを介して対向配置される一対の第１気密材（例えば、後述のサイドレール４１）を有することが好ましい。
【００１０】
（４）  前記閉塞部材は、前記スクリーンの先端の屋外側部に見付方向に延びて設けられ、前記開口部材との間の隙間を塞ぐ第２気密材（例えば、後述のパッキン４２）を有することが好ましい。
【００１１】
（５）  前記閉塞部材は、前記スクリーンの先端の左右両側部に設けられ、前記開口部材との間の隙間を塞ぐ一対の第３気密材（例えば、後述の弾性片４３）を有することが好ましい。
【００１２】
（６）  前記スクリーンは、不透湿性の部材により構成されることが好ましい。
【発明の効果】
【００１３】
本発明によれば、開口部装置の種類によらず設置可能であるとともに、断熱性が向上した開口部用スクリーン装置を提供することができる。
【図面の簡単な説明】
【００１４】
【図１】本実施形態の開口部用スクリーン装置の斜視図である。
【図２】本実施形態の開口部用スクリーン装置の正面図である。
【図３】図３（ａ）は、本実施形態の開口部用スクリーン装置の縦断面図であり、図３（ｂ）は図３（ａ）の部分拡大図である。
【図４】本実施形態のスクリーンの断面図である。
【図５】図２に示す開口部用スクリーン装置のＡ−Ａ断面図である。図５（ｂ）は、図５（ａ）の部分拡大図である。
【図６】図６（ａ）は、本実施形態における全閉状態の開口部用スクリーン装置の部分正面図である。図６（ｂ）は、図６（ａ）の部分拡大図である。
【図７】図７（ａ）は、本実施形態の変形例に係る図２のＡ−Ａ断面に対応する図であり、図７（ｂ）は、図７（ａ）の部分拡大図である。
【発明を実施するための形態】
【００１５】
以下、本発明の実施形態について、図面を参照しながら詳しく説明する。なお、本明細書において、「見付方向」とは、建物の開口部に設けられた開口部装置及び開口部用スクリーン装置におけるガラスやスクリーン等の面方向を意味し、「見込方向」とは、開口部装置及び開口部用スクリーン装置の厚さ方向（すなわち、奥行き方向）を意味する。
【００１６】
図１は、開口部用スクリーン装置１の斜視図であり、図２は、正面図である。また、図３（ａ）は、上述の開口部用スクリーン装置１の縦断面図であり、図３（ｂ）は、図３（ａ）の部分拡大図であり、図４は、スクリーンの縦端面図である。
図１及び２に示すように、建物の開口部１０の屋外側には開口部装置９（図２では引違い窓を例示）が設けられており、開口部用スクリーン装置１（以下、略してスクリーン装置と言う）は、開口部装置９の屋内側に配置される。詳細には、開口部装置９の屋内側には、開口部周縁を構成する開口部材を構成する額縁１１が取り付けられており、スクリーン装置１は、この額縁１１の屋内側に取り付けられている。スクリーン装置１は、スクリーン２と、カバーボックス３と、閉塞部材４０と、を含んで構成される。
【００１７】
まず、スクリーン２について説明する。図１〜図３（ａ）に示すように、スクリーン２は、シート状の部材で形成され、開口部１０の屋内側から、開口部１０を覆うように配置される。また、スクリーン２は、スクリーン２の下縁に沿って見付方向に延びるように設けられるボトムバー２５を有する。
【００１８】
図４に示すように、スクリーン２は、不透湿性の部材により構成され、例えば、その透湿度が１５０ｇ／ｍ２・ｈ以下、より好ましくは７５ｇ／ｍ２・ｈ以下のものが用いられる。スクリーン２は、４層の積層体で形成される。より詳しくは、スクリーン２は、生地層２１と、樹脂層２２と、金属層２３と、赤外線透過層２４と、がこの順で積層される。
また、本実施形態のスクリーン２は、生地層２１を屋内側に向け、赤外線透過層２４を屋外側に向けた状態で、使用される。
【００１９】
生地層２１は、屋内側の最表面に配置される層であり、意匠性を付与する層である。この生地層２１は、織物又は不織布で構成される。具体的には、生地層２１は、ポリエステル樹脂、ナイロン樹脂、綿、麻等の織物又は不織布で構成されることが好ましい。生地層２１が織物や不織布で構成されることで、樹脂等の無機質感が排除され、高い意匠性が付与される。
【００２０】
生地層２１の膜厚は、スクリーン２の巻き径と重量の関係から、１ｍｍ以下であることが好ましい。生地層２１の膜厚が１ｍｍを超えると、スクリーン２の巻き径が大きくなるため、巻き取ったスクリーン２を収容する後述のカバーボックス２０の寸法が大きくなる結果、圧迫感が生じて美観を損ねる。より好ましい生地層２１の膜厚は、６００μｍ以下である。
【００２１】
樹脂層２２は、樹脂で構成された不透湿性の樹脂膜であり、後述する金属層２３を保持する機能を有する。具体的には、樹脂層２２は、ポリウレタン樹脂、ポリエステル樹脂（例えばポリエチレンテレフタレート等）、アクリル樹脂、ポリアミド樹脂（例えばナイロン等）、フッ素樹脂、オレフィン樹脂（例えばポリプロピレンやポリエチレン等）及びポリ塩化ビニル樹脂からなる群より選ばれる少なくとも１種で構成されることが好ましい。樹脂層２２がこれらの樹脂で構成されることで、不透湿性が付与される。
ここで、「不透湿性の樹脂膜」とは、透湿度が０％のものに限定されず、本実施形態の効果が阻害されない範囲内であれば、極僅かな透湿性を有するものも含むことを意味する。
なお、樹脂層２２は、後述する金属層２３を保護する機能を有し、具体的には湿気に対する耐食性を向上させる機能を有する。
【００２２】
樹脂層２２の膜厚は、スクリーンの巻き径と重量の関係から、２００μｍ以下であることが好ましい。樹脂層２２の膜厚が２００μｍを超えると、スクリーンの剛性が大きくなり硬くなるため、スクリーンを巻き取り難くなる。より好ましい樹脂層２２の膜厚は、５０μｍ以下である。
【００２３】
金属層２３は、金属を含んで構成され、赤外線を反射する層である。具体的には、金属層２３は、アルミニウム、チタン、銀、銅、ＩＴＯ（酸化インジウムスズ）、ＳＵＳ（ステンレス鋼）及び金属酸化物からなる群より選ばれる少なくとも１種で構成されることが好ましい。金属層２３がこれら金属を含んで構成されることで、赤外線反射機能が付与される。
【００２４】
金属層２３の膜厚は、赤外線反射性能と可視光透過性能の観点から、６〜３０ｎｍであることが好ましい。金属層２３の膜厚が６ｎｍ未満であると、赤外線反射性能が悪化し、赤外線をほとんど反射しなくなる。また、金属層２３の膜厚が３０ｎｍを超えると、可視光の透過性が悪化する。金属層２３の膜厚が６〜３０ｎｍの範囲内であれば、赤外線を反射しつつ、可視光を透過させることができる。
【００２５】
赤外線透過層２４は、樹脂で構成され、赤外線を透過する樹脂膜であり、上述の金属層２３を保護する機能を有する。具体的には、赤外線透過層２４は、ポリプロピレン樹脂、ポリエチレン樹脂、オレフィン樹脂及びポリアミド樹脂からなる群より選ばれる少なくとも１種で構成され、かつその赤外線透過率が６０〜９９％であることが好ましい。金属層２３を覆う赤外線透過層２４の赤外線透過率がこの範囲内であることで、赤外線透過層２４が金属層２３の赤外線反射機能を損なうことがなく、金属層２３により太陽光熱が高い効率で反射される。
【００２６】
以上のスクリーン２は、見付方向の両端部で縫製や他の部材を設ける等の処理を行わず、いわゆる切りっぱなしの状態で取り付けられる。すなわち、スクリーン２は、見付方向の端部と、その他の部分とで厚さが同一である。
【００２７】
図１及び図２に戻って、ボトムバー２５は、スクリーン２の下縁に取り付けられ、スクリーン２よりも剛性の高い部材で構成される。ボトムバー２５は、スクリーン２の面よりもわずかに屋内側へ突出している。
【００２８】
次に、カバーボックス３について説明する。図３（ａ）に示すように、カバーボックス３は、開口部周縁に沿って額縁１１の上方に取り付けられる。カバーボックス３は、額縁１１の屋内側に、額縁１１から屋内側へ延びる金具により取り付けられる。カバーボックス３は、額縁１１の上辺に沿って、額縁１１の見付方向両端部まで延設された箱状部材である。
【００２９】
カバーボックス３は、スクリーン２を基端側から巻き取り可能に支持する巻き取り軸部３１を内部に収容し、巻き取ったスクリーン２を収容するカバー部材として機能する。
【００３０】
次に、閉塞部材４０について説明する。閉塞部材４０は、スクリーン装置１が取り付けられる額縁１１と、スクリーン２の端部との間に形成される隙間を塞ぐ部材である。閉塞部材４０は、額縁１１に沿って配置される。閉塞部材４０は、第１気密材としてのサイドレール４１と、第２気密材としてのパッキン４２と、第３気密材としての弾性片４３と、見込片４４と、を含んで構成される。
【００３１】
図５（ａ）は、図２のＡ−Ａ断面図である。図５（ｂ）は、図５（ａ）の部分拡大図である。
第１気密材としてのサイドレール４１は、開口部１０の見付方向における一方と他方に対をなすように配置され、スクリーン２を介して対向して配置されている。
一対のサイドレール４１は、構成が同一であるため、一方のサイドレール４１について説明する。
【００３２】
図５（ａ）及び図５（ｂ）に示すように、サイドレール４１は、スクリーン２を挟む２本のサイドレール片４１０により構成される。サイドレール片４１０は、それぞれがスクリーン装置１の上下方向に延びる縦長の形状を有し、断面視フック形状に構成されている。詳細には、サイドレール片４１０は、平坦な面４１０ａと、この平坦な面４１０ａから屈曲し、フック形状の爪部分に対応する曲がり片４１０ｂとにより構成されている。サイドレール片４１０は、２本で一組であり、一方の曲がり片４１０ｂと他方の曲がり片４１０ｂとが向かい合うように配置され、曲がり片４１０ｂ同士の間にスクリーン２の端部が担持される。
【００３３】
サイドレール４１は、スクリーン２が上下に移動する際に、スクリーン２を支えるとともに案内する。このサイドレール４１は、スクリーン２の巻き取り方向の少なくとも一部に延びて、スクリーン２の可動範囲に設けられる。すなわち、サイドレール４１は、額縁１１の下枠近傍から、額縁１１の上枠近傍まで延びている。
【００３４】
サイドレール４１は、弾性変形可能な柔軟な部材で形成される。例えば、滑り抵抗の低い、フッ素加工された圧縮弾性エラストマーにより構成される。
【００３５】
第２気密材としてのパッキン４２は、図５（ａ）に示すように、ボトムバー２５と略同一長さの長尺状の部材である。このパッキン４２は、スクリーン２の先端に配置されたボトムバー２５の屋外側部に、見付方向に延びて取り付けられる。パッキン４２は、図３（ａ）及び図３（ｂ）に示すように、断面視フック状に形成されている。パッキン４２は、平坦な面４２ａと、この平坦な面４２ａから屈曲し、フック形状の爪部分に対応する曲がり片４２ｂとを有して構成され、平坦な面４２ａがボトムバー２５の背面に取り付けられる。
【００３６】
パッキン４２は、柔軟な樹脂製の部材で構成されている。このため、パッキン４２は、開口部装置９をスクリーン２で覆うためにボトムバー２５を降ろすと、パッキン４２の曲がり片４２ｂが額縁１１に弾性変形しながら当接して、ボトムバー２５と額縁１１との間の隙間を密閉する。
【００３７】
見込片４４は、開口部１０の上下方向に延び、額縁１１の屋内側部を覆う縦長の部材である。見込片４４は、スクリーン装置１の上下方向に延びて断面がＬ字型のアウターＬ字部４４１及びインナーＬ字部４４２と、これらの端部に取り付けられるキャップ部４４３と、を含む。
【００３８】
図５（ｂ）に示すように、アウターＬ字部４４１は、断面視でスクリーン２の見付方向に沿って延びる辺と、この辺から屈曲して見込方向に延びる辺とにより構成される。
アウターＬ字部４４１は、インナーＬ字部４４２を覆うように配置される。アウターＬ字部４４１は、スリット４４４と、突起４４５と、を有する。
スリット４４４は、アウターＬ字部４４１の見込方向に延びる辺に、見込方向に間隔を空けて複数形成されている。スリット４４４は、スクリーン装置１を取り付ける建物の開口廻りの形状に合わせて、所望の位置のスリット４４４で見込み方向の辺を切断することにより、寸法を調整できるようにするためのものである。
突起４４５は、見付方向に延びる辺の内側に、見込方向に突出して形成されている。
インナーＬ字部４４２は、長辺がスクリーン２の面に沿って延び、短辺がアウターＬ字部４４１に向かって延びる。インナーＬ字部４４２は、アウターＬ字部の突起４４５と、見込方向に延びる辺との間に挿入されて係合し、アウターＬ字部４４１の内面に向き合うように配置される。インナーＬ字部４４２は、ねじにより額縁１１に固定され、インナーＬ字部４４２とアウターＬ字部４４１とが互いに係合することで、見込片４４が額縁１１を覆うように配置される。
【００３９】
図６（ａ）は、スクリーン２を降した全閉状態のスクリーン装置１における下端部周辺の部分正面図である。図６（ｂ）は、図６（ａ）の部分拡大図である。
図６（ａ）及び図６（ｂ）に示すように、キャップ部４４３は、見込片４４の下端に取り付けられている。キャップ部４４３は、平坦な面４４３ａと、突起部４４３ｂと、傾斜部４４３ｃにより構成されている。
平坦な面４４３ａは、見込片４４の下端部を塞ぐように配置されている。
突起部４４３ｂは、平坦な面４４３ａの外周縁より内側から上方へ延び、見込片４４の内部に挿入される。これにより、キャップ部４４３が見込片４４に固定される。
傾斜部４４３ｃは、図６（ｂ）に示すように、突起部４４３ｂのスクリーン２側から平坦な面４４３ａに向かって曲線を描いて下り傾斜する部分である。図６（ｂ）に示すように、キャップ部４４３とボトムバー２５の下端部とは、ボトムバー２５を降ろした状態では隣接する。キャップ部の傾斜部４４３ｃが下り傾斜していることで、傾斜部４４３ｃの端面とボトムバー２５との間の距離は、下へ行くほど狭く形成される。
【００４０】
第３気密材としての弾性片４３は、図６（ａ）及び図６（ｂ）に示すように、スクリーン２の先端に配置されたボトムバー２５の左右両側部に設けられ、外側に突出するように取り付けられている。弾性片４３は、断面視がフック形状に構成され、平坦な面４３ａと、この平坦な面４３ａから屈曲し、フック形状の爪部分に対応する曲がり片４３ｂとにより構成されている。弾性片４３は、平坦な面４３ａがボトムバー２５の見込方向に沿って取り付けられ、曲がり片がボトムバー２５の側部から見付方向外側に突出する。弾性片４３は、柔軟で弾性変形可能な樹脂により形成されている。このため、弾性片４３は、スクリーン２を下方へ降ろした時に、傾斜部４４３ｃの傾斜に沿って、下へ移動するほどつぶれた状態に変形することにより、高い気密性が得られる。
【００４１】
以上のスクリーン装置１の使用の状態について説明する。
スクリーン装置１は、不使用時には、巻き取り軸部３１にスクリーン２が巻き取られて、額縁１１の上部に配置されたカバーボックス３内に収容されている。
スクリーン装置１を使用する際には、巻き取り軸部３１に連結された紐を操作して、スクリーン２がサイドレール４１を構成する向かい合うサイドレール片４１０の間をスライド移動する。そして、スクリーン２が、開口の屋外側に配置されている開口部装置９のガラス９１に対向し、開口部装置９との間に空気層Ｌが形成される。
【００４２】
スクリーン２は、不透湿性の部材で構成されているので、室内空間で発生した湿気は、スクリーン２を通して開口部装置側へ通りにくくなっている。
【００４３】
スクリーン２は、額縁１１の屋内側で、見付方向屋内側に配置されたサイドレール４１の、向かい合うサイドレール片４１０の曲がり片４１０ｂ同士の間に挟まれている。このため、スクリーン２の見付方向端部側から空気が漏れにくい。また、これらのサイドレール片４１０が、額縁１１を覆う見込片４４の内部に収容されていることで、スクリーン２と額縁１１との間の隙間が塞がれる。
【００４４】
なお、スクリーン２は、向かい合うサイドレール片４１０に挟まれるため、見付方向の両端部を、縫製や他の部材を設ける等の処理を行う必要がなく、見付方向の端部と、他の部分で厚さが同一に構成される。このため、スクリーン２を上方に巻き取った際、両端部とそれ以外の部分で厚さが同じなので、スクリーン２に皺が形成されたり、巻かれた状態のスクリーン２の両端部の厚さが大きくなることが防止される。
また、スクリーン２は、向かい合うサイドレール片４１０によって挟まれた状態で上下にスライド移動するのみで、気密性は周囲の閉塞部材４０により保たれるので、スクリーン２とサイドレール４１の気密性を高めるために、スクリーン２の剛性や硬度を高くする必要はない。
【００４５】
パッキン４２が、ボトムバー２５の下端部の屋外側に設けられている。このため、スクリーン２の下降に伴ってボトムバー２５が下降すると、パッキン４２がボトムバー２５の屋外側と、額縁１１の下縁とに当接する。このため、スクリーン２の下端部と、額縁１１の下縁との間の隙間が塞がれる。
【００４６】
また、弾性片４３が、ボトムバー２５の見付方向両端部において、外側に突出するように設けられている。そして、見込片４４の下端部を覆うキャップ部４４３は、見込片４４の下端部の内部に配置される突起部４４３ｂの上端から見込片４４のスクリーン２側の下端部に向かって下り傾斜する傾斜部４４３ｃを有している。このため、ボトムバー２５を降ろすと、弾性片４３が、傾斜部４４３ｃとボトムバー２５の見付方向端部の側面との間の隙間に挿入される。弾性片４３は、元の形状に戻ろうとして反発し、傾斜部４４３ｃを付勢するので、傾斜部４４３ｃに対して密着する。これにより、スクリーン２の下方の隅部に形成されるスクリーン２と見込片４４との間の隙間が塞がれるとともに、見込片４４を介して、スクリーン２と額縁１１との間の隙間が塞がれる。
【００４７】
以上のように、第１気密材〜第３気密材としてのサイドレール４１、パッキン４２、弾性片４３、及び見込片４４を含んで構成される閉塞部材により、スクリーン２と額縁１１との間の隙間が三方に亘って塞がれる。
【００４８】
以上説明した本実施形態によれば、以下の効果が奏される。
本実施形態では建物の開口部１０に設けられる開口部用スクリーン装置１を、屋内側から開口部１０を覆い、開口部１０の屋外側に設けられた開口部装置９のガラス９１との間に空気層Ｌを形成するスクリーン２を含んで構成するとともに、開口部周縁を構成する額縁１１と、スクリーン２の端部との間の隙間を塞ぐ閉塞部材４０と、を含んで構成した。
【００４９】
これにより、開口部１０をスクリーン２により屋内側から覆うことができるため、建物の開口廻りの形状に左右されず、様々な構成の開口部１０に、容易にスクリーン装置１を設置することができる。また、スクリーン２の端部と額縁１１との間が閉塞部材により塞がれているので、空気層Ｌと屋内側の空間とをより確実に遮蔽することができる。このため、屋外側からの空気が、空気層Ｌにより遮断されて、断熱性が向上するとともに、開口部１０の屋内と屋外の空気の気密性が向上する。また、気密性が向上することで、室内空気が開口部装置９等で冷やされて結露しにくくなる。
【００５０】
また本実施形態では、開口部材を、開口部周縁に設けられた額縁１１を含んで構成した。また、閉塞部材４０を、額縁１１の屋内側部を覆う見込片４４を有するとともに、額縁１１に沿って配置した。
開口部周縁に額縁１１を設けるとともに、額縁の屋内側部が閉塞部材４０の見込片４４で覆われるため、開口部用スクリーン装置１の意匠性を向上させることができる。
【００５１】
また本実施形態では、開口部周縁の屋内側上方に取り付けられ、スクリーン２を基端側から巻き取り可能な巻き取り軸部３１をさらに含んで構成した。また、閉塞部材４０を、スクリーン２の巻き取り方向の少なくとも一部に延びて設けられ、スクリーン２を介して対向配置される一対のサイドレール４１を含んで構成した。
サイドレールは、スクリーン２の見付方向の両端部に配置され、額縁１１とスクリーン２との間を密閉する。このため、屋内と屋外の間で空気が流通しにくくなり、気密性が向上する。
【００５２】
また本実施形態では、閉塞部材４０を、スクリーン２の先端の屋外側部に見付方向に延びて設けられ、額縁１１との間の隙間を塞ぐパッキン４２を含んで構成した。
パッキン４２がスクリーン２の屋外側で、スクリーン２の先端と額縁１１との間を密閉する。このため、屋内と屋外の間で空気が流通しにくくなり、気密性が向上する。
【００５３】
また本実施形態では、閉塞部材４０を、スクリーン２の先端の左右両側部に設けられ、前記開口部材との間の隙間を塞ぐ一対の弾性片４３を含んで構成した。
これにより、サイドレール４１及びパッキン４２のいずれもが配置されていないスクリーン２の先端の左右両側部を密閉することができ、屋内と屋外の間で空気が流通しにくくなり、さらに気密性が向上する。
【００５４】
また本実施形態では、スクリーン２を、不透湿性の部材により構成した。これにより、室内の湿気がスクリーン２を通して屋外へ流通することが低減され、よって、外部への湿気の移動を確実に防止でき、効果的にガラス９１の結露を抑制できる。また、屋内の湿度を高く維持でき、屋内の過乾燥を防止できる。
【００５５】
なお、本発明は上記実施形態に限定されるものではなく、本発明の目的を達成できる範囲での変形、改良等は本発明に含まれる。
例えば、上記実施形態では、見込片４４をアウターＬ字部４４１とインナーＬ字部４４２により構成するとともに、サイドレール４１を、断面視フック状の部材を向い合せ、その間にスクリーンを担持させているが、これに限られない。
【００５６】
図７（ａ）は、上記実施形態の変形例に係る図２のＡ−Ａ断面に対応する図であり、図７（ｂ）は、図７（ａ）の部分拡大図である。
図７（ａ）及び図７（ｂ）に示すように、変形例では、見込片４４ＡのアウターＬ字部４４１の内面に、断面視コの字型をしたコ字部材４４２Ａが当接されており、このコ字部材４４２Ａの内部に、スクリーン２を担持する担持部材４１Ａが設けられている。また、変形例では、スクリーン２は、見付け方向の端部が、スクリーン２を構成するシート状部材の厚さよりも厚く形成されている。
【００５７】
担持部材４１Ａは、内部に中空部４６を備える略コ字状の形状をしている。担持部材４１Ａは、略コ字状の開口した端部が互いに近接することで形成される狭開口部４７を有する。担持部材４１Ａは、中空部４６内に、スクリーン２の見付方向の端部を収容し、狭開口部４７における近接した端部にてスクリーン２の面を挟むように構成されている。
変形例に係る構成においても、スクリーン２と額縁１１との隙間を塞ぐことができ、上記実施形態と同様の効果を奏する。
【００５８】
また、上記実施形態では、上部にスクリーンを巻取るためのパイプ構造（いわゆるスクリーンロールアップ式）を有するスクリーン装置１を用いているが、これに限られない。例えば、上部にスクリーンを巻取るためのパイプ構造（いわゆるスクリーンロールアップ式）の代わりに、スクリーンを伸縮させる構造（いわゆるプリーツスクリーン、ハニカムスリーン式）や、スクリーンを伸縮やたくし上げる機構（いわゆるたくし上げスクリーン式）を用いてよい。
【００５９】
また、上記実施形態では、スクリーン装置１は、開口部周縁の下辺側では、額縁１１の下縁を覆う部材を有していないが、これに限られない。スクリーン２の全閉時に、ボトムバー２５が覆われる程度の高さの下桟を、開口部周縁の下辺において、室内側の見付け面に取り付けてもよい。
【００６０】
また、上記実施形態では、開口部材が開口部周縁に設けられた額縁１１を含むものとして説明したが、開口部材は、開口部周縁を構成する部材であれば、額縁１１に限られない。例えば、開口部１０に額縁１１を設けない場合には、開口部材は、建物の躯体における開口部１０の周囲の壁であってもよい。また、開口部材は、開口廻りの構成によっては、壁と額縁の両方により構成されていてもよい。
【００６１】
また、上記実施形態では、スクリーン装置１は、平坦なシート状の部材を巻き取って昇降させるロールスクリーン装置として説明したが、これに限られない。開口部装置の屋内側かつ、開口部の屋内側にすることができるとともに、閉塞部材を含んで構成することができれば、スクリーンの昇降機構については限定されない。
【００６２】
また、上記実施形態では、スクリーン２は、４層からなる不透湿性部材により構成されているが、これに限られない。３層からなる不透湿性部材であってもよく、この場合には、生地層２１を有さない代わりに、樹脂層２２に意匠的な模様を施してもよい。
【符号の説明】
【００６３】
１    開口部用スクリーン装置
２    スクリーン
９    開口部装置
１０  開口部
１１  開口部材（額縁）
３１  巻き取り軸部
４０  閉塞部材
４１  第１気密材（サイドレール）
４２  第２気密材（パッキン）
４３  第３気密材（弾性片）
４４  見込片
９１  ガラス
Ｌ    空気層
【図１】
0006613041.tif 000002
【図２】
0006613041.tif 000003
【図３】
0006613041.tif 000004
【図４】
0006613041.tif 000005
【図５】
0006613041.tif 000006
【図６】
0006613041.tif 000007
【図７】
0006613041.tif 000008